(57)【要約】【課題】ディスクと平行な平面内で回転させることでディスクの挿脱着を容易にし、しかも容易に開閉機構を提供する。【解決手段】収納部を有する機器本体１０と支軸となる軸体３１を介して機器本体１０に回動可能に支持され、開蓋位置から閉蓋位置に亘って回動可能とされた蓋体３０と、蓋体３０の開蓋位置から閉蓋位置に向かって蓋体３０が回動する際に、閉蓋位置から開蓋位置へと蓋体３０を回動する回転付勢力が蓄積される回転付勢バネ５０と、軸体３１側に設けた係合部と機器本体１０側に設けた係合部が係合し、蓋体３０の回動を規制するロック機構と、軸体側に設けた係合部と機器本体１０側に設けた係合部を相対移動させて、蓋体３０の回転付勢バネ５０による回転を可能とするロック解除機構とを備える。【選択図】  図４
2004265539.tif 000002
【特許請求の範囲】
【請求項１】
収納部を有する機器本体と
支軸となる軸体を介して上記機器本体に回動可能に支持され、開蓋位置から閉蓋位置に亘って回動可能とされた蓋体と、
上記蓋体の開蓋位置から閉蓋位置に向かって上記蓋体が回動する際に、上記閉蓋位置から上記開蓋位置へと上記蓋体を回動する回転付勢力が蓄積される回転付勢バネと、
上記軸体側に設けた係合部と上記機器本体側に設けた係合部が係合し、上記蓋体の回動を規制するロック機構と、
上記軸体側に設けた係合部と上記機器本体側に設けた係合部を相対移動させて、上記蓋体の回転付勢バネによる回動を可能とするロック解除機構とを備えた回転蓋の開閉機構。
【請求項２】
上記機器本体には、上記軸体を軸方向に付勢する圧縮バネが設けられ、
上記ロック解除機構は、上記軸体側に設けた係合部を軸方向に移動させることにより、上記蓋体の回転付勢バネによる回動を可能とする請求項１に記載の回転蓋の開閉機構。
【請求項３】
上記軸体側には、ギヤー部が設けられ、
上記機器本体側には、回転ダンパーが設けられ、
上記ギヤー部の歯車と上記回転ダンパーの歯車が噛合する請求項２に記載の回転蓋の開閉機構。
【請求項４】
ディスクが装着されるディスク装着部が中央に配置されたディスク収納部が設けられた機器本体と、
支軸となる軸体を介して上記機器本体に回動可能に支持され、回動することにより上記ディスク収納部を開閉する蓋体と、
上記蓋体の開蓋位置から閉蓋位置に向かって上記蓋体が回動する際に、上記閉蓋位置から上記開蓋位置へと蓋体を回動する回転付勢力が蓄積される回転付勢バネと、
上記軸体側に設けた係合部と上記機器本体側に設けた係合部が係合し、上記蓋体の回動を規制するロック機構と、
上記軸体側に設けた係合部と上記機器本体側に設けた係合部を相対移動させて、上記蓋体の回転付勢バネによる回動を可能とするロック解除機構とを備えたディスクドライブ装置。
【請求項５】
上記機器本体には、上記軸体を軸方向に付勢する圧縮バネが設けられ、
上記ロック解除機構は、上記軸体側に設けた係合部を移動させることにより、上記蓋体の回転付勢バネによる回動を可能とする請求項４に記載のディスクドライブ装置。
【請求項６】
上記軸体側には、ギヤー部が設けられ、
上記機器本体側には、回転ダンパーが設けられ、
上記ギヤー部の歯車と上記回転ダンパーの歯車が噛合する請求項５に記載のディスクドライブ装置。
【請求項７】
上記ディスク装着部は、上記機器本体と略同一の高さ位置となる請求項４記載のディスクドライブ装置。
【発明の詳細な説明】
【０００１】
【発明の属する技術分野】
本発明は、回転蓋の開閉機構に関し、特に、ディスクドライブ装置に設けられる回転蓋に関する。
【０００２】
【従来の技術】
従来、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等のディスクドライブ装置１００の開閉蓋１０１は、図１５に示すような、ディスクに対して離間方向に回動することにより開閉動作を行うディスクドライブ装置１００がある（例えば、特許文献１。）。
【０００３】
また、図１６に示すように、ディスクドライブ装置１１０の蓋体１１１は、機器本体１１０の側面部から、スライドして蓋体１１１が開閉動作を行うドライブ装置もある（例えば、特許文献２。）。
【０００４】
従来のディスクドライブ装置の開閉蓋は、蓋を開いた状態でユーザーがディスクの着脱動作を行うときに蓋が邪魔になり、さらには、蓋の開動作のときに誤って指を蓋にぶつけてしまう等の問題があった。また、蓋とドライブ装置本体の間に微小の隙間が発生し、ごみやほこり等が混入し、ピックアップ機構に影響を与えるおそれがあった。
【０００５】
【特許文献１】
特開２００２−２０８２０７号公報（第４−６頁、第１−２図）
【特許文献２】
特開平７−１３４８９３号公報（第３頁、第３図）
【０００６】
【発明が解決しようとする課題】
本発明は、従来のディスクドライブ装置等の開閉蓋が有する問題点を解消することを目的とし、蓋をディスクから離間させる方向に平行動作させた後に、ディスクと平行な平面内で回転させることでディスクの挿脱着を容易にし、しかもユーザーが指をぶつけてしまうことなく使いやすい回転蓋の開閉機構を提供することを目的とする。
【０００７】
さらに、本発明は、蓋体の大きさを小さくすることでディスクドライブ装置本体の大きさも小さくし、しかもごみやほこりが混入したり、ディスクの回転中にユーザーが手等で触れてしまうようなことがないようにディスクを完全に覆うことができる回転蓋の開閉機構及びディスクドライブ装置を提供することを目的とする。
【０００８】
【課題を解決するための手段】
上述した目的を達成するために提案される本発明に係る回転蓋の開閉機構は、収納部を有する機器本体と支軸となる軸体を介して上記機器本体に回動可能に支持され、開蓋位置から閉蓋位置に亘って回動可能とされた蓋体と、上記蓋体の開蓋位置から閉蓋位置に向かって上記蓋体が回動する際に、上記閉蓋位置から上記開蓋位置へと上記蓋体を回動する回転付勢力が蓄積される回転付勢バネと、上記軸体側に設けた係合部と上記機器本体側に設けた係合部が係合し、上記蓋体の回動を規制するロック機構と、上記軸体側に設けた係合部と上記機器本体側に設けた係合部を相対移動させて、上記蓋体の回転付勢バネによる回動を可能とするロック解除機構とを備える。
【０００９】
本発明に係る回転蓋の開閉機構は、ロック解除機構により簡単な操作で開蓋することができ、閉蓋動作についても簡単な方法により実行することができる。
【００１０】
また、本発明に係る回転蓋の開閉機構を構成する機器本体には、上記軸体を軸方向に付勢する圧縮バネが設けられ、上記ロック解除機構は、上記軸体側に設けた係合部を軸方向に移動させることにより、上記蓋体の回転付勢バネによる回動を可能としてもよい。
【００１１】
このとき、蓋体が機器本体から離間する方向に移動してから機器本体と略平行な面内で回動することにより開蓋するので、突出した物を覆った場合にでも、簡単且つ確実に開閉動作を行うことができる。
【００１２】
さらに、本発明に係る回転蓋の開閉機構を構成する軸体側には、ギヤー部が設けられ、機器本体側には、回転ダンパーが設けられ、上記ギヤー部の歯車と上記回転ダンパーの歯車が噛合する。
【００１３】
本発明に係る回転蓋の開閉機構は、ギヤー部に回転ダンパーが噛合することにより、蓋体の開蓋動作の速度を制限でき、ユーザーが誤って指等をぶつけることを防ぐことができる。
【００１４】
また、上述した目的を達成するために提案される本発明に係るディスクドライブ装置は、ディスクが装着されるディスク装着部が中央に配置されたディスク収納部が設けられた機器本体と、支軸となる軸体を介して上記機器本体に回動可能に支持され、回動することにより上記ディスク収納部を開閉する蓋体と、上記蓋体の開蓋位置から閉蓋位置に向かって上記蓋体が回動する際に、上記閉蓋位置から上記開蓋位置へと蓋体を回動する回転付勢力が蓄積される回転付勢バネと、上記軸体側に設けた係合部と上記機器本体側に設けた係合部が係合し、上記蓋体の回動を規制するロック機構と、上記軸体側に設けた係合部と上記機器本体側に設けた係合部を相対移動させて、上記蓋体の回転付勢バネによる回動を可能とする。
【００１５】
本発明に係るディスクドライブ装置は、ロック解除機構により簡単に操作することができ、閉蓋動作についても簡単な方法により実行することができる。
【００１６】
また、本発明に係るディスクドライブ装置を構成する機器本体には、上記軸体を軸方向に付勢する圧縮バネが設けられ、上記ロック解除機構は、上記軸体側に設けた係合部を移動させることにより、上記蓋体の回転付勢バネによる回動を可能としてもよい。
【００１７】
このとき、蓋体が機器本体から離間する方向に移動してから装着されるディスクと略平行な面内で回動することにより開蓋するので、突出した物を覆った場合にでも、簡単で且つ確実に開閉動作を行うことができる。
【００１８】
さらに、本発明に係るディスクドライブ装置を構成する軸体側には、ギヤー部が設けられ、機器本体側には、回転ダンパーが設けられ、上記ギヤー部の歯車と上記回転ダンパーの歯車が噛合してもよい。
【００１９】
本発明に係るディスクドライブ装置は、回転ダンパーが噛合することにより、蓋体の開動作の際の速度を制限して、ユーザーが誤って指等をぶつけることを防ぐことができる。
【００２０】
さらにまた、本発明に係るディスクドライブ装置を構成するディスク装着部は、上記機器本体と略同一の高さ位置となっていてもよい。
【００２１】
本発明に係るディスクドライブ装置によれば、蓋体が機器本体から離間する方向に移動してから装着されるディスクと略平行な面内で回動することにより開蓋するので、機器本体と略同一の高さ位置のディスク装着部に干渉することなく蓋体の開閉動作を行うことができる。さらに、ディスク装着部が機器本体と略同一の高さ位置であるので、簡単にディスクの交換を行うことを可能とする。また、ディスク交換のときにユーザーは収納部の奥底まで指を入れる必要がないので、ディスク収納部のディスク情報記録面と平行な面の大きさをディスクがぎりぎり装着できる程度の大きさにすることができ、すなわち、ディスク収納部の大きさ及び蓋体の大きさを小さくすることができるので、ディスクドライブ装置全体の大きさを小さくすることができる。
【００２２】
【発明の実施の形態】
以下、本発明に係る回転蓋の開閉機構及びこれを用いたディスクドライブ装置について図面を参照して説明する。以下に述べる本発明では、ディスクドライブ装置として、光ディスクに記録されている情報を再生するディスクプレーヤを例に挙げて、このディスクプレーヤの回転蓋の開閉機構について説明する。
【００２３】
本発明に係るディスクドライブ装置１の回転蓋の開閉機構は、図１に示すように、収納部を有する機器本体１０と支軸となる軸体３１を介して機器本体１０に回動可能に支持される蓋体３０からなる。
【００２４】
機器本体１０に設けられた押しボタン７５をＹ方向に押すと、図２に示すように、蓋体３０がＺ１方向にせり上がり、機器本体１０から離間した状態となる。さらに、蓋体３０がＺ１方向に所定の距離だけ機器本体１０から離間すると、ロック機構が解除されて、図３に示すように蓋体が装着されるディスクと平行な面内をＲ１方向に回転して、機器本体のディスク収納部を露出させた状態となる。
【００２５】
ここで、図１は、蓋体が閉蓋位置にあることを示す図であり、ディスクドライブ装置１の運転時や停止時等の通常の状態を示す図である。図３は、蓋体が開蓋位置にあることを示す図であり、ディスクの取出しや、装着を行うときのディスクドライブ装置１の状態を示す図である。
【００２６】
この回転蓋の開閉機構の構成について図１〜図１２を用いて説明する。本発明を適用したディスクドライブ装置１の回転蓋の開閉機構は、機器本体１０と、蓋体３０と、回転付勢バネ５０と、ロック機構６０と、ロック解除機構７０とを備える。
【００２７】
図３に示すように、機器本体１０は、例えばＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等のディスクが装着されるディスク装着部１２と、このディスク装着部１２が中央に配置されるディスク収納部１３と、このディスク収納部１３を形成するディスク収納部底面部１４と、ディスク収納部底面部１４に軸方向に回転方向に規制されて配設されるカラー２１とを有する。
【００２８】
図４、図５に示すように、ディスク収納部底面部１４は、ディスク装着部１２及びピックアップ１５が配置される切り欠き部１６を有する。また、ディスク収納部底面部１４には、機器本体１０に固定するための取付ネジ用の取付ネジ孔８５が設けられる。さらに、ディスク収納部底面部１４には、後述する圧縮バネ７１を規制する円環状の規制部１７が設けられる。さらに、この規制部１７の円環の内側には、蓋体３０の軸体３１を挿通させる略円形の貫通孔１８が設けられる。また、この貫通孔１８の円周縁部に、カラー２１の回転方向を規制する１又は複数の係合溝１９が設けられる。また、ディスク収納部底面部１４には、閉蓋時に蓋体３０が接触する円周部分の複数箇所に衝撃吸収用のクッション材２０が設けられる。
【００２９】
図４及び図６に示すように、カラー２１には、略円筒形のディスク収納部底面部１４の貫通孔１８の周縁に設けられた係合溝１９と係合する係合突起２２と、圧縮バネ７１を規制する取付段部２３が設けられる。また、カラー２１には、蓋体３０の軸体３１を挿通させる挿通孔２４と、後述の回転付勢バネ５０を取付ける回転付勢バネ取付用切り欠き２５とが設けられている。また、カラー２１は、ギヤー４０と摺接するギヤー摺接面２８に回転範囲規制突起２７が設けられている。
【００３０】
また、機器本体１０側には、回転速度を制御する回転ダンパー３５が取付けられる。例えば、回転ダンパー３５は、図４に示すように、カラー２１に設けられたダンパー取付台２６に設置され、ダンパー取付ネジ３６により固定される。
【００３１】
本発明を適用した回転蓋の開閉機構を構成する蓋体３０は、軸体３１を介して上記機器本体１０に回動可能に支持され、回動することによりディスク収納部１３を開閉する。
【００３２】
図４に示すように、軸体３１には、回転付勢バネ取付部３２及び回転付勢バネ係合溝３３が設けられる。また、軸体３１には、ギヤー４０が軸方向固定ネジ３９により固定される。図４、図７に示すように、ギヤー４０には、カラー２１と摺接するカラー摺接面４１と、カラー２１の回転範囲規制突起２７と当接する当接部４３と、機器本体１０に設けられる係合凹部と係合する回転ロック部４４と、回転ダンパー３５の歯車３７と噛合する歯車４６を有するギヤー部４５とが設けられる。また、ギヤー４０は、レバーに当接されるレバー当接部４７が設けられている。尚、本実施例では、軸体３１及びギヤー４０を別部材としたが、同一部材としてもよい。
【００３３】
回転付勢バネ５０は、蓋体３０の開蓋位置から閉蓋位置に向かって蓋体３０が回動する際に、閉蓋位置から開蓋位置へと蓋体を回動する回転付勢力が蓄積される。図９に示すように、回転付勢バネ５０は、円筒状に巻き回されたコイルバネであり、その一端部５１が円筒外側に突出し、その他端部５２が円筒内側に突出する形状である。回転付勢バネ５０は、図４に示すように、蓋体３０の回転付勢バネ取付部３２に取付けられ、その一端部５１が軸体３１の回転付勢バネ係合溝３３に係合され、その他端部５２が機器本体１０に回転方向に規制して配設されたカラー２１の回転付勢バネ取付用切り欠き２５に係合されている。回転付勢バネ５０は、閉蓋位置に取付けられるとき閉蓋位置から開蓋位置へと蓋体を回動する回転付勢力が蓄積される状態で取付けられる。
【００３４】
ロック機構６０は、軸体３１側に設けた係合部と機器本体１０側に設けた係合部が係合し、蓋体３０の回動を規制する。図４に示すように、軸体３１側に設ける係合部は、ギヤー４０の回転ロック部４４であり、また、機器本体１０側に設けた係合部は、図１２に示すように、この回転ロック部４４に係合する係合凹部３８である。図４、図１０に示すように、ロック機構６０は、回転ロック部４４及び係合凹部３８から構成される。蓋体３０が閉蓋位置のときは、この回転ロック部４４と係合凹部３８が係合しているため、軸体３１は機器本体１０に回転を規制される。
【００３５】
ロック解除機構７０は、軸体３１側に設けた係合部と機器本体側１０に設けた係合部を相対移動させて、蓋体３０の回転付勢バネ５０に蓄積された回転付勢力による回転を可能とする。本実施例では、ロック解除機構７０は、軸体３１側に設けた係合部を移動させることにより、蓋体３０の回転付勢バネ５０に蓄積された回転付勢力による回転を可能とする。このとき圧縮バネ７１は、軸体３１を軸方向に付勢する。ロック解除機構７０は、圧縮バネ７１及びレバー７２から構成される。圧縮バネ７１は、その一端部７６がディスク収納部底面部１４に設けられた円環状の規制部１７と当接し、その他端部７７がカラー２１の取付段部２３に当接し、ギヤー４０をディスク収納部底面部１４から離間させる方向に付勢している。すなわち、圧縮バネ７１は、ギヤー４０と固定される蓋体３０をディスク収納部底面部１４側に付勢している。
【００３６】
図１０、図１１に示すように、レバー７２は、レバー支軸７３及びレバー復帰バネを有している。レバー７２は、押しボタン７５により連動され、ギヤー４０のレバー当接部４７に当接され、圧縮バネ７１を圧縮する方向に付勢する。ロック解除機構７０は、これらの押しボタン７５と、押しボタン７５に連動されるレバー７２と、レバーに当接するギヤー４０と、ギヤー４０に摺接されるカラー２１と、カラー２１に付勢される圧縮バネ７１とから構成される。
【００３７】
尚、ロック解除機構７０について、本実施例では、軸体３１側に設けた係合部を移動させたが、機器本体１０側に設けた係合部を移動させることでロックを解除してもよい。
【００３８】
また、本発明を適用したディスクドライブ装置１は、蓋体３０の開閉状態を確認することができるように検出機構が設けられている。この検出機構は、図１０に示すように、蓋体３０と共に軸方向に前後に移動するカラー２１に設けられた検出部２９と、機器本体１０に設けられ検出部２９を検出可能な検出スイッチ８０からなる。図１２に示すように、機器本体１０にはこの検出スイッチ８０取付用の切り欠きが設けられる。図１１に示すように、蓋体３０が開蓋位置に位置するときは、検出スイッチ８０はＯＦＦとなり、機器の制御回路に「開蓋状態」であることを送る。例えば、この制御回路により、「開蓋状態」のときは、「再生不可」と設定することで、蓋体３０が開蓋状態のときに誤って再生が行われることを防げる。また、この制御回路により、再生中に押しボタンが押されて「開蓋状態」に切換えられたとき、「再生停止」の信号を送るように設定することで、再生中に押しボタンが押されたとき、開蓋状態になるとともに、再生停止状態にすることができる。
【００３９】
次に、本発明を適用した回転蓋の開閉動作について説明する。まず、閉蓋位置におけるこの回転蓋の取付状況について説明する。先に説明したように、本発明を適用した回転蓋の開閉機構は、２つの付勢バネを有している。図１０に示すように、回転付勢バネ５０は、カラー２１の回転付勢バネ取付用切り欠き２５と蓋体３０の回転付勢バネ取付部３２に取付けられており、蓋体３０を閉蓋位置から開蓋位置に向かって回動する回転付勢力が蓄積された状態である。圧縮バネ７１は、ディスク収納部底面部１４の規制部１７とカラー２１の取付段部２３に取付けられており、軸体３１の回転ロック部４４を係合凹部３８側に付勢していて、さらに、回転ロック部４４が係合凹部３８に係合しているので、ロック機構６０が軸体３１の回転を規制している状態である。
【００４０】
上述のような閉蓋位置の状態において、ロック解除機構７０の押しボタン７５を図２のＹ方向に押すと、図１１に示すように、レバー７２がレバー支軸７３を中心として、蓋体３０側に移動され、ギヤー４０のレバー当接部４７を蓋体３０側に押し出す。レバー７２に当接され押し出されたギヤー４０は、カラー２１を蓋体３０側に押し出す。ギヤー４０に摺接され押し出されたカラー２１は、係合突起２２がディスク収納部底面部１４に係合溝１９と係合して回転方向に規制されているが、軸方向には摺動可能である。一方、ディスク収納部底面部１４は、機器本体１０に取付ネジで固定されている。ギヤー４０に押し出されたカラー２１は、圧縮バネ７１を縮ませる。このとき、蓋体３０は、ギヤー４０と一体に固定されているので、ギヤー４０と同様に蓋体前面、すなわち、ディスク収納部底面部１４から離間するＺ１方向に方向に移動する。このとき圧縮バネ７１はカラー２１を蓋体前面から離間する方向、すなわち、カラー２１をディスク収納部底面部１４から離間する方向に付勢力を蓄積した状態となっている。
【００４１】
図１１に示すように、ギヤー４０と共に蓋体前面に所定の距離分Ｚ１方向に押し出されたロック機構６０の回転ロック部４４は、係合凹部３８との係合が解除される。このようにロック機構６０のロックが解除されたとき、蓋体３０は回転方向の規制が解除され、自由に回転できる状態となる。ここで、カラー２１は、係合突起２２がディスク収納部底面部１４の係合溝１９に係合され、回転方向に規制された状態である。回転付勢バネ５０は、その一端部５１が蓋体３０に取付けられ、その他端部５２がカラー２１に回転方向に取付けられ、さらに、上述のように蓋体３０を閉蓋位置から開蓋位置に向かって回動する回転付勢力が蓄積された状態であるので、カラー２１を支持部として蓋体３０及びギヤー４０を閉蓋位置から開蓋位置の方向、すなわち図３に示すＲ１方向に回転させる。本実施例では、この回転方向は、蓋体３０の前方よりみて時計回り、すなわち右回りである。
【００４２】
本実施例では、所定の距離、すなわち、回転ロック部４４と係合凹部３８の係合が解除される距離は約１０ｍｍに設定されている。この距離は、蓋体３０とディスク装着部１２に装着されるディスクの位置関係により決定される。換言すると、装着されるディスクに干渉しない距離分だけＺ１方向に離間した後、ロック解除機構が働くようにする。また、この所定の距離は、回転ロック部４４の突起部の軸方向の長さを変更することにより変更可能である。
【００４３】
次に、本発明を適用したディスクドライブ装置は、蓋体３０の開蓋位置を決定する回転範囲規制機構を備える。回転範囲規制機構は、カラー２１に設けられた回転範囲規制突起２７とギヤー４０に設けられた当接部４３から構成される。閉蓋状態において、回転範囲規制突起２７と当接部４３の関係は図７に示す状態である。このとき、回転付勢バネ５０の回転力を規制しているのは、上述のロック機構であり、すなわち、蓋体３０は図１０、図１１に示すように、回転ロック部４４と係合凹部３８の係合により閉蓋位置で停止している。この状態で、押しボタン７５が押されると上述のロック解除機構により、蓋体３０及びギヤー４０は、Ｒ１方向に回転する。図８に示すように、回転範囲規制突起２７と当接部４３が当接する位置で蓋体は回転付勢バネ５０により付勢された状態で停止する。この位置は、蓋体３０の開蓋位置である。例えば、回転付勢バネ５０の中立点を開蓋位置としてもよいが、中立点では、僅かな力が加わった場合でさえも、蓋体が変位するので、開蓋位置における蓋体の安定性が欠ける。これに対し、本実施例では回転範囲規制機構を設けているので、回転付勢バネの回転付勢力が付勢している状態が開蓋位置となるので、安定した開蓋状態とすることができる。本実施例では、このギヤー４０のカラー２１に対する回転角は、約１１０°に設定されている。
【００４４】
このように、蓋体３０は、ディスク収納部底面部１４及び機器本体１０に対して、ディスクと干渉しないよう約１０ｍｍ程度離間され、蓋体前面部よりみて時計周り方向に約１１０°回転された状態で固定される。この離間距離は、本実施例では、１０ｍｍとしたが、ディスクの装着位置と蓋体との関係により決定するものであり、１０ｍｍに限られるものではない。この距離は、蓋体とディスク装着部に装着されるディスクの位置関係により決定される。換言すると、装着されるディスクに干渉しない距離分だけ離間した後、ロック解除機構が働くようにする。尚、この所定の距離は、ギヤー４０の回転ロック部４４の突起の軸方向の長さや、機器本体１０に設けられる係合凹部３８の位置により変更可能である。また、蓋体の閉蓋位置から開蓋位置への回転角は、本実施例ではディスクの取出し、交換を容易とするため約１１０°としたが、これは、回転蓋が設けられるディスクドライブ装置の用途、形状により変更可能なものであり、１１０°とは限られない。この回転角は、回転範囲規制突起２７と当接部４３の位置を調整することにより、変更可能である。
【００４５】
さらに、蓋体３０が閉蓋位置から開蓋位置に回動するとき、図７、図８に示すようにギヤー部４５の歯車４６が回転ダンパー３５の歯車３７と噛み合っているので、この回転は、使用者等が指をぶつけない程度に速度を規制することができる。この回転ダンパー３５には、オイルダンパーのようなものが用いられており、軸体３１の回転速度を抑制するものである。
【００４６】
次に、図３に示すような開蓋位置にある状態の蓋体３０を閉蓋動作について説明する。蓋体３０を手動にて蓋体前面部からみて半時計周りに約１１０°、すなわち、蓋体３０の閉蓋位置までＲ２方向に回転させる。蓋体３０が閉蓋位置まで回動されたとき、ギヤー４０も共に回転するので、回転ロック部４４と係合凹部３８が係合する位置関係となる。このとき、上述のように、圧縮バネ７１は、ギヤー４０をディスク収納部底面部１４から離間する方向、すなわち係合凹部３８側に付勢しているので、ギヤー４０、カラー２１及び蓋体３０は共に蓋体３０がディスク収納部底面部１４に接近する方向、すなわち図２に示すＺ２方向に移動する。回転ロック部４４は、係合凹部３８に係合し、ロック機構６０が働いた状態となる。一方、回転付勢バネ５０は、蓋体３０を閉蓋位置から開蓋位置に向かって回動する回転付勢力が蓄積された状態となる。このとき、ディスク収納部底面部１４にはクッション材２０が設けられているので、蓋体３０の移動に伴いディスク収納部底面部１４との衝撃により損傷することはない。よって、本発明の回転蓋の開閉機構によれば、ロック機構及びロック解除機構により、簡単に蓋の開閉動作を行うことができる。
【００４７】
また、本発明のディスクドライブ装置は、図１３に示すように、ディスク装着部１３１が機器本体と略同一の高さ位置としてもよい。このような位置関係においても、蓋体１３４がディスク収納部底面部１３２から離間する方向にせり出した後に、ディスク収納部底面部１３２に平行な面内で回転することにより開閉動作を行うので、ディスク１３３に干渉することなく円滑な開閉動作を行うことができる。ディスク装着部１３１が機器本体と略同一な高さ位置とすることにより、ディスク収納部の大きさをディスクがぎりぎり装着できる程度の大きさにすることができ、すなわち、ディスク収納部の大きさ及び蓋体の大きさを小さくすることができるので、ディスクドライブ装置１３０全体の大きさを小さくすることができ、また、ディスクドライブ装置のデザインの選択範囲を広くすることができる。
【００４８】
さらに、本発明の回転蓋の開閉機構においては、図１４に示すように、ディスク装着部１４１が機器本体１４０より突出した位置に配置されていてもよい。図１４に示すようなディスクドライブ装置１４０においても、蓋体がディスク装着部１４１よりせり出した後に、ディスク収納部底面部１４２に平行な面内で回転することにより開閉動作を行うことで、ディスク１４３に干渉することなく円滑な開閉動作を行うことができる。
【００４９】
【発明の効果】
上述したように本発明の回転蓋の開閉機構及びディスクドライブ装置によれば、ロック機構及びロック解除機構により、簡単に蓋の開閉動作を行うことができる。また、本発明の回転蓋の開閉機構及びディスクドライブ装置は、蓋体が前面に出てから本体と略平行な平面上を回動して開閉動作を行うので、突出した物を覆った場合でも、簡単な構造で蓋体の開閉動作を行うことができる。さらに、回転ダンパーが設けられるので、開閉動作の際の速度を制限して、ユーザーが指等をぶつけるようなことがない。
【図面の簡単な説明】
【図１】本実施例に係るディスクドライブ装置を示す図である。
【図２】押しボタンを押して、蓋体が機器本体から離間された状態を示す図である。
【図３】押しボタンを押して、蓋体が機器本体から離間され、回転ロック部が解除され、蓋体が回転して開蓋位置に移動したことを示す図である。
【図４】本実施例に係るディスクドライブ装置の回転蓋の開閉機構の分解斜視図である。
【図５】本実施例に係るディスクドライブ装置のディスク収納部底面部の平面図である。
【図６】本実施例に係るディスクドライブ装置のカラーのギヤーと摺動する面を示す図である。
【図７】本実施例に係るディスクドライブ装置において、蓋体が閉蓋位置にあるときのギヤー及び回転ダンパーが噛合している状態を示す図である。
【図８】本実施例に係るディスクドライブ装置において、蓋体が開蓋位置にあるときのギヤー及び回転ダンパーが噛合している状態を示す図である。
【図９】本実施例に係るディスクドライブ装置の回転付勢バネの取付部を示す図である。
【図１０】本実施例に係るディスクドライブ装置の閉蓋状態の断面図である。
【図１１】本実施例に係るディスクドライブ装置の開蓋状態の断面図である。
【図１２】本実施例に係るディスクドライブ装置のロック機構及びロック解除機構の構成の一部を示す図である。
【図１３】本発明の他の実施例に係るディスクドライブ装置のディスク装着位置と機器前面との関係を示す図である。
【図１４】本発明のさらに他の実施例に係るディスクドライブ装置のディスク装着位置と機器前面との関係を示す図である。
【図１５】従来のディスクドライブ装置の蓋体の開閉機構の例を示す図である。
【図１６】従来のディスクドライブ装置の蓋体の開閉機構の他の例を示す図である。
【符号の説明】
１  ディスクドライブ装置、  １０  機器本体、  １４  ディスク収納部底面部、  ２１  カラー、  ３０  蓋体、  ３１  軸体、  ３５  回転ダンパー、  ４０  ギヤー、  ５０  回転付勢バネ、  ６０  ロック機構、  ７０  ロック解除機構、  ７１  圧縮バネ、  ７２  レバー、  ７５  押しボタン
【図１】
2004265539.tif 000003
【図２】
2004265539.tif 000004
【図３】
2004265539.tif 000005
【図４】
2004265539.tif 000006
【図５】
2004265539.tif 000007
【図６】
2004265539.tif 000008
【図７】
2004265539.tif 000009
【図８】
2004265539.tif 000010
【図９】
2004265539.tif 000011
【図１０】
2004265539.tif 000012
【図１１】
2004265539.tif 000013
【図１２】
2004265539.tif 000014
【図１３】
2004265539.tif 000015
【図１４】
2004265539.tif 000016
【図１５】
2004265539.tif 000017
【図１６】
2004265539.tif 000018